(57)【要約】【課題】開閉体の開閉動作中に発光して報知する報知手段を開閉体に設けた従来の開閉装置では、開閉操作指令に伴って開閉体と報知手段との両方を共に作動制御させるための連動制御装置が必要となり、装置の構成が複雑化する。そこで、連動制御装置を不要とでき、簡易な構成で開閉体の状態を報知することのできる開閉装置を提供する。【解決手段】本発明の開閉装置１は、電源１７と、開閉体（シャッター２）の振動を感知する振動感知手段（振動センサ１５）と、振動感知手段が振動を感知した場合に電源からの電力供給を受けて作動する報知手段（ＬＥＤ１６）とを備えた。【選択図】図１
2007198003.tif 000002
【特許請求の範囲】
【請求項１】
電源と、開閉体の振動を感知する振動感知手段と、振動感知手段が振動を感知した場合に電源からの電力供給を受けて作動する報知手段とを備えたことを特徴とする開閉装置。
【請求項２】
報知手段が、発光部材により構成されたことを特徴とする請求項１に記載の開閉装置。
【請求項３】
発光部材が、開閉体の閉鎖側端部に設けられたことを特徴とする請求項２に記載の開閉装置。
【請求項４】
発光部材が発する光を外部から認識可能な光透過部を備えた部品収納筐体内に振動感知手段と発光部材と電源とが収納された振動感知ユニットが開閉体に取り付けられたことを特徴とする請求項２又は請求項３に記載の開閉装置。
【請求項５】
開閉体に振動感知ユニットを貫通させる貫通孔が形成され、貫通孔内に嵌め込まれた状態で振動感知ユニットが開閉体に取り付けられたことを特徴とする請求項４に記載の開閉装置。
【請求項６】
報知手段の作動を一定時間保持するタイマ回路を備えたことを特徴とする請求項１乃至請求項５のいずれかに記載の開閉装置。
【請求項７】
電源が、乾電池と充電式電池と太陽電池との内の少なくとも１つ以上で構成されたことを特徴とする請求項１乃至請求項６のいずれかに記載の開閉装置。
【発明の詳細な説明】
【技術分野】
【０００１】
本発明は、開閉体の振動を検出して開閉体の開閉動作を報知可能な開閉装置に関する。
【背景技術】
【０００２】
車庫等の出入口には、例えば、開，閉方向に動作する開閉体であるシャッターを備えた開閉装置を設けて車庫内部に車両を搬入保管できるようにしている。開閉装置には、開放スイッチ、閉鎖スイッチ、停止スイッチ等の操作手段を備えた制御装置が設けられ、これらスイッチを操作することでシャッターの開，閉動作及び停止を可能としている。
通常、出庫時，入庫時にはドライバーはシャッターを全開し、出入口の開口スペースを確保した上で、入庫，出庫しているが、入，出庫を急いでいる場合や雨，雪等が車庫内に吹き込んでくるおそれがある場合等には、全開を待たないで半開停止状態で入，出庫を行う事もある。また、シャッターが開動作，閉動作を行っている最中に入，出庫を行う事もある。
しかし、例えば、夜間において周囲が暗い場合、シャッターの開口量がどの程度なのかを容易に視認察知することができなかった。また、特にセンサによる状態検出に基づいて開閉動作を行うシャッターではシャッターが開動中か閉動中か停止中かの区別も容易に察知することができなかった。
この為、開口量が、車両の入，出庫には適さない、狭い状態であるにも拘わらず、入，出庫をしてしまうおそれもあり、その場合、車両をシャッターに接触させてしまうことでシャッターや車両を破損させてしまうおそれがあった。
このような問題に鑑み、例えば特許文献１に示されたもののように、開閉体である自動ドアやシャッターに、これらの開閉動作中に発光する動作警告灯を設けた開閉装置が知られている。
【特許文献１】特開平９−１３７６６９号公報
【発明の開示】
【発明が解決しようとする課題】
【０００３】
しかしながら、開閉動作中に発光して報知する動作警告灯を開閉体に設けた従来の開閉装置では、開閉操作指令に伴って開閉体と動作警告灯との両方を共に作動制御させるための連動制御装置が必要となり、装置の構成が複雑化するという課題があった。
本発明は、係る課題に鑑みて、連動制御装置を不要とでき、簡易な構成で開閉体の状態を報知することのできる開閉装置を提供することを目的とする。
【課題を解決するための手段】
【０００４】
本発明による開閉装置は、電源と、開閉体の振動を感知する振動感知手段と、振動感知手段が振動を感知した場合に電源からの電力供給を受けて作動する報知手段とを備えたことを特徴とする。
報知手段が、発光部材により構成されたことを特徴とする。
発光部材が、開閉体の閉鎖側端部に設けられたことを特徴とする。
発光部材が発する光を外部から認識可能な光透過部を備えた部品収納筐体内に振動感知手段と発光部材と電源とが収納された振動感知ユニットが開閉体に取り付けられたことを特徴とする。光透過部は、光透過性を有する板材、あるいは、孔などにより形成できる。発光部材が発する光が外部から光透過部を通して直接的に認識できるように構成してもよいし、発光部材が発する光を部品収納筐体内で反射させた反射光を外部から光透過部を通して認識できるように構成してもよい。また、部品収納筐体に備えられた光透過部は、部品収納筐体の一部であってもよいし、全部であってもよい。
開閉体に振動感知ユニットを貫通させる貫通孔が形成され、貫通孔内に嵌め込まれた状態で振動感知ユニットが開閉体に取り付けられたことを特徴とする。
報知手段の作動を一定時間保持するタイマ回路を備えたことを特徴とする。報知手段の作動を一定時間保持するとは、報知手段の例えばＯＮ，ＯＦＦの繰り返しによる一連の動作を保持することや、ＯＮ作動、ＯＦＦ作動の一方又は双方を一定時間保持することも含む。
電源が、乾電池と充電式電池と太陽電池との内の少なくとも１つ以上で構成されたことを特徴とする。
【発明の効果】
【０００５】
本発明によれば、振動感知手段が開閉体の振動を感知した場合に、報知手段が電源からの電力供給を受けて作動するので、開閉操作指令に伴って開閉体と報知手段との両方を共に作動制御させるための連動制御装置を不要とでき、簡易な構成とできる。
報知手段を発光部材により構成したことで、開閉体の状態を光によって周囲に報知させることができる。
発光部材が、開閉体の閉鎖側端部に設けられたことで、開閉体の閉鎖側端部の現在位置を容易に視認察知することができる。
発光部材が発する光を外部から認識可能な光透過部を備えた部品収納筐体内に振動感知手段と発光部材と電源とが収納された振動感知ユニットが開閉体に取り付けられたので、開閉体への振動感知ユニットの着脱が容易となる。
開閉体に形成された貫通孔内に嵌め込まれた状態で振動感知ユニットが開閉体に取り付けられたので、開閉体と開閉体に取付けられた振動感知ユニットとの凹凸差を小さくできて、開閉体の面に対する振動感知ユニットの突出量を少なくできるので、開閉体と振動感知ユニットとの一体感を増し、納まりを良好なものにできる。
報知手段の作動を一定時間保持するタイマ回路を備えたので、報知手段の点灯、点滅などの作動時間を調整できる。
電源が、乾電池と充電式電池と太陽電池との内の少なくとも１つ以上で構成されたことにより、電源のメンテナンス性を向上できる。
【発明を実施するための最良の形態】
【０００６】
図１乃至図４は最良の形態１を示す。図１は車庫の出入口に取り付けられた開閉装置を車庫の裏側から見て示し、図２は振動感知ユニットを示し、図３は振動感知ユニットの回路図を示し、図４はシャッターが巻き取られた場合の振動感知ユニットの収容状態を示す。
【０００７】
開閉装置１は、シャッター２、ガイドレール３、開閉機構４、振動感知ユニット５を備える。開閉体であるシャッター２は、複数のスラット６と閉鎖側端部となるボトムスラット７とにより形成される。スラット６はシャッター幅方向である左右方向に長尺な金属板により形成される。複数のスラット６はシャッター開閉方向となる上下方向に連結され、ボトムスラット７が複数のスラット６の最下部の下に連結される。複数のスラット６の開放側端部となる最上部は巻取シャフト８に連結される。ボトムスラット７は、左右方向に長尺な金属板により形成され垂直状のスラット部９とスラット部９の面と直交するようスラット部９の下端に設けられる水平状の座板部１０とで形成される。スラット部９は最下部のスラット６と連結される。ボトムスラット７は、長尺な方向と直交する方向に切断した断面が略逆Ｔ字形状に形成される。ガイドレール３はシャッター２の左右の側縁をシャッター開閉方向である上下方向にガイドする。開閉機構４は、巻取シャフト８、巻取シャフト８を巻取方向及び繰出方向に回転させる電動機１３などにより構成される。
【０００８】
図２に示すように、振動感知ユニット５は、振動センサ１５、報知手段としての発光部材であるＬＥＤ１６、電源１７、タイマ回路１８、配線基板１９、部品収納筐体２０を備える。振動センサ１５としては、例えば、圧電素子を用いたもの等を使用する。電源１７としては、乾電池２１と充電式電池２２とを備える。タイマ回路１８は、ＬＥＤ１６に所定持間だけ電源１７による動作電源を供給してＬＥＤ１６を点灯させる。部品収納筐体２０は、取付基板２９と蓋３０とにより形成される。配線基板１９は取付基板２９より設けられた図外の取付支柱に止ねじ等により取り付けられる。振動センサ１５とＬＥＤ１６とタイマ回路１８とが配線基板１９上に搭載される。即ち、振動感知ユニット５によれば、部品収納筐体２０によって、部品収納筐体２０内に設けられた振動センサ１５、ＬＥＤ１６、電源１７、タイマ回路１８、配線基板１９などの回路を保護でき、さらに、コンパクト化を図ることができる。乾電池２１の接続端子部２３と充電式電池２２の接続端子部２４とが取付基板２９に図外の止ねじ等で取り付けられ、接続端子部２３と接続端子部２４とが図外の電線で配線基板１９に繋がれる。蓋３０には取付基板２９への取付フランジ３１が形成される。蓋３０が、配線基板１９、接続端子部２３、接続端子部２４を覆うように設置され、取付フランジ３１が止ねじ３２により取付基板２９に取り付けられることによって、振動感知ユニット５が形成される。蓋３０は、ＬＥＤ１６の発光を外部から認識可能とする光透過性を有する材料により形成される。つまり、蓋３０が光透過部として機能する。取付基板２９は、シャッター２のスラット部９への取付部２６を備える。取付部２６には止着具としてのボルト２７を貫通させるための貫通孔２８が形成される。蓋３０が止ねじ３２により取付基板２９に着脱可能に構成されたので、乾電池２１の交換や充電式電池２２の充電の際に、乾電池２１や充電式電池２２を容易に取り外すことができ、メンテナンス性に優れる。乾電池２１と充電式電池２２とを備えるので、電池交換を少なくでき、電源のメンテナンス性も向上できる。
【０００９】
振動感知ユニット５の回路構成の一例を図３を参照して説明する。ＬＥＤ１６が抵抗３５及びタイマ回路１８の電源投入スイッチ３６を経由して電源１７に接続される。振動センサ１５及びタイマ回路１８がＬＥＤ１６と並列に電源１７に接続される。振動センサ１５の振動感知部３７による振動検出に基づき、振動センサ１５の出力接点３８による無電圧接点出力信号がタイマ始動信号としてタイマ回路１８のタイマ起動部１９に入力される。タイマ回路１８は所望の時間を任意に設定できる。したがって、ＬＥＤ１６の点灯、点滅などの作動時間を調整できる。タイマ回路１８の設定時間としては、例えば、シャッター２の開時間、閉時間を考慮して、例えば１分間に設定する。タイマ回路１８の出力接点である電源投入スイッチ３６は、タイマ回路１８のタイマ起動部１９にタイマ始動信号が入力されてから設定時間の間、電源１７をＬＥＤ１６に通電させる。タイマ回路１８を備えたので、振動感知時間が短い場合でもタイマ回路１８に設定された時間だけＬＥＤ１６の作動を維持させることができる。
【００１０】
シャッター２のスラット部９への振動感知ユニット５の取付けについて図２を参照して説明する。シャッター２のスラット部９に、振動感知ユニット５の取付部２６に形成された貫通孔２８に対応する貫通孔４１が形成される。そして、ボルト２７が取付部２６の貫通孔２８とスラット部９の貫通孔４１とに貫通し、貫通孔２８及び４１を貫通したボルト２７の先端側からボルト２７のねじ部４２にナット４３が装着されてナット４３が締結されることによって、振動報知ユニット５がスラット部９に取付けられる。即ち、振動報知ユニット５が、開閉体であるシャッター２の閉鎖側端部側に取り付けられたので、ＬＥＤ１６の点灯によって人がシャッター２の下端部の現在位置を容易に把握できるようになる。尚、図４に示すように、振動感知ユニット５の大きさは、シャッター２が巻取シャフト８（図１参照）に巻き取られた状態において、天井４９側の躯体に取り付けられたマグサ４５；４５の間の空間４６に収容される大きさに形成される。振動感知ユニット５は、スラット部９の裏側と表側のいずれか一方又は両方に設けることができる。
【００１１】
振動感知ユニット５の動作について説明する。人が開閉装置１の操作盤４７の押ボタン４８を操作することで、図外の制御装置が開閉機構４を作動させる電動式にてシャッター２が開閉動作を開始する。振動センサ１５がシャッター２の開閉動作に伴う振動を感知すると、タイマ回路１８にタイマ始動信号を出力する。タイマ始動信号がタイマ回路１８に入力されると、タイマ回路１８が起動するとともにタイマ回路１８の電源投入スイッチ３６が投入され、電源１７からＬＥＤ１６に動作電源が供給されて、ＬＥＤ１６が点灯し、例えば１分間経過するとＬＥＤ１６が消灯する。人がＬＥＤ１６の点灯を部品収納筐体２０の光透過部として機能する蓋３０を通して視認することによって、人はシャッター２の下端部の現在位置を容易に把握できる。尚、振動センサ１５は、配線基板１９及び部品収納筐体２０の取付基板２９を介してシャッター２に固定されているので、シャッター２の開閉動作に伴う振動を感知できる。
【００１２】
最良の形態１によれば、操作盤４７の操作によって開閉動作されるシャッター２の振動が振動感知ユニット５の振動センサ１５によって感知された場合に、ＬＥＤ１６が電源１７からの電力供給を受けて作動してシャッター２の状態を光によって周囲に報知させることができる。即ち、開閉操作指令に伴ってシャッター２とＬＥＤ１６との両方を共に作動制御させるための連動制御装置を不要とでき、簡易な構成とできる。よって、シャッター開閉動作を制御する制御装置を備えた既存の操作盤４７の機能に変更を加えることなくそのまま流用できる。また、シャッター２に設置された振動感知ユニット５と開閉装置１の固定部に設けられた制御盤４７との電気接続配線が不要となるので、電気接続配線の引き回しが不要となる。よって、電気接続配線の断線のような故障をなくせるとともに、配線引き回しによって装置の見栄えが悪くなるといった問題もなくなる。
【００１３】
最良の形態２
図５に示すように、シャッター２のボトムスラット７のスラット部９に、振動感知ユニット５の部品収納筐体２０の蓋３０を嵌め込める大きさの貫通孔５０を形成するとともに、部品収納筐体２０の取付基板２９も光透過性を有する材料で形成し、貫通孔５０内に蓋３０の部分を嵌め込んだ状態で取付基板２９をスラット部９に取付けた構成とした。この場合、シャッター２の裏側及び表側の両方にそれぞれ個別に振動感知ユニット５を設けることなく、シャッター２の裏側及び表側の両方からＬＥＤ１６が発する光を視認察知できるようになって経済的となるとともに、シャッター２と振動感知ユニット５との凹凸差を小さくできて、シャッター２の面に対する振動感知ユニット５の突出量を少なくできるので、シャッター２と振動感知ユニット５との一体感が増し、振動感知ユニット５の納まりを良好にできる。また、光透過性を有する材料で形成された取付基板２９を用いずとも、振動感知ユニット５の取付基板２９及び蓋３０の両側の外部から光を視認察知できるようにＬＥＤ１６を設置することで、シャッター２の裏側及び表側の両方にそれぞれ個別に振動感知ユニット５を設けることなく、シャッター２の裏側及び表側の両方からＬＥＤ１６が発する光を視認察知できるようにしてもよい。
【００１４】
最良の形態３
図６に示すように、部品収納筐体２０内に設けたＬＥＤ１６の点灯光を光ファイバ５１を用いて光ファイバ５１経由で光ファイバ５１の光出射端部５２より出射させるようにしてもよい。この場合、光ファイバ５１の光出射端部５２の位置設定の自由度が増す。また、光の出射方向を比較的自由に設定でき、個々の状況、例えば、シャッター２の設置状況、周囲環境などによって、光出射端部５２の位置や向きを設定できて、光の見せ方を自由に設定できる。
【００１５】
尚、報知手段としての発光部材は、ＬＥＤ以外に、ランプ、ネオン、ＬＣＤ、蛍光管等を用いてもよい。報知手段の取付位置は、シャッター２の閉鎖側端部としての座板部１０より離れた位置のスラット６に取付けてもよい。報知手段としては、音出力器や、音と光などの複合した報知を行う装置を使用してもよい。
【００１６】
電源１７としては、太陽電池を使用してもよい。太陽電池を使用する場合は、シャッター２の座板部１０に光取込孔を形成して太陽電池を座板部の光取込孔の上に設けることが好ましい。尚、電源１７は、乾電池２１、充電式電池２２、太陽電池、燃料電池の内の少なくとも１つ以上で構成すればよい。
【００１７】
タイマ回路１８を設けずに、振動センサ１５として高感度のセンサと低感度のセンサとを配線基板１９に搭載し、低感度のセンサによる振動検出をＬＥＤ１６への電源供給用のトリガ信号として使用し、高感度のセンサによる振動検出をＬＥＤ１６への電源供給を継続させるための信号として使用すれば、風によるシャッター２の振動で高感度のセンサだけが振動を検出した場合には、ＬＥＤ１６への電源供給が開始されないので、風に基づく振動時におけるＬＥＤ１６の誤作動を少なくでき、電力消費を抑制できる。
【００１８】
ＬＥＤ１６を点滅制御させたい場合には、ＬＥＤ１６の点滅制御回路を配線基板１９に搭載させればよい。
【００１９】
電源、振動感知手段、報知手段のそれぞれを、互いに開閉体の別々の箇所に設置してもよい。
【００２０】
振動感知手段が振動を感知していない場合（振動非感知状態）に報知手段を常に点灯あるいは点滅のように作動させておいて、振動感知手段が振動を感知した場合（振動感知状態）に報知手段の作動状態を変えて報知する構成としてもよい。例えば、振動非感知状態と振動感知状態とで、ＬＥＤ１６の作動を点滅作動と点灯作動とに変化させたり、ＬＥＤ１６の発光色を変化させたり、警告音を変化させたりするような制御回路を設けてもよい。
【産業上の利用可能性】
【００２１】
本発明は、車庫，倉庫に設置される開閉装置に限らず、住宅やビル、工場、地下街、トンネル、車両の荷台等の構築・構造物における開口部分や内部に設置される開閉装置に適用できる。所謂、障害物感知装置を備えた開閉装置にも適用できる。手動式の開閉装置にも適用できる。例えば、火炎や煙を感知した時などにブレーキを解除して自重で閉鎖する開閉体を備えた開閉装置にも適用できる。
【００２２】
本発明の適用対象となる開閉装置の開閉体をシャッターとした場合、その構成態様としては、所謂スラットを上下方向に複数連設した態様だけではなく、パイプ、パネル、シート状物又はネット状物を単数もしくは複数連設して成る態様のシャッター、あるいは、スラット、パネル、パイプ、シート状物、ネット状物を適宜に組合せたシャッターでもよい。所謂、オーバヘッドタイプのシャッターにも適用できる。開閉体の開閉方向は上下方向でも左右方向でも斜め方向でもよく、これらの複合する方向であってもよい。
【００２３】
本発明は、ドア、雨戸を含む引戸、サッシ窓、ブラインド、門扉、ゲート、スライディングウォール装置、ロールスクリーン装置、オーニング装置、防災ドア装置、防煙垂れ幕や防煙たれ壁などの開閉装置に適用可能である。
【図面の簡単な説明】
【００２４】
【図１】開閉装置を示す図（最良の形態１）。
【図２】振動感知ユニットを示す図（最良の形態１）。
【図３】振動感知ユニットの回路図（最良の形態１）。
【図４】シャッターが巻き取られた場合の振動感知ユニットの収容状態を示す図（最良の形態１）。
【図５】シャッターに取り付けられた振動感知ユニットを示す図（最良の形態２）。
【図６】光ファイバを用いた例を示す図（最良の形態３）。
【符号の説明】
【００２５】
１  開閉装置、２  シャッター（開閉体）、５  振動感知ユニット、
９  スラット部（閉鎖側端部）、１５  振動センサ、
１６  ＬＥＤ（発光部材、報知手段）、１７  電源、１８  タイマ回路、
２０  部品収納筐体、２１  乾電池、２２  充電式電池、５１  光ファイバ、
５２  光出射面。
【図１】
2007198003.tif 000003
【図２】
2007198003.tif 000004
【図３】
2007198003.tif 000005
【図４】
2007198003.tif 000006
【図５】
2007198003.tif 000007
【図６】
2007198003.tif 000008